(57)【要約】【課題】  左眼方向と右眼方向の表示画像の混在を抑制し、快適な立体画像を表示する縦方向および横方向で利用可能な立体画像表示装置を提供する。【解決手段】  画像表示装置の前方または後方に市松状に配列された透過部１２と非透過部１３からなるパララックスバリアを設置し、透過部１２の大きさを非透過部１３より小さくして左眼方向と右眼方向の表示画像の混在を抑制し、表示画面に表示する立体画像表示をＲＧＢ方向に５画素から７画素、およびＲＲＲ方向に２画素として左眼画像および右眼画像の構成単位とする。【選択図】  図１４
2012073387.tif 000002
【特許請求の範囲】
【請求項１】
画像表示装置および、前記画像表示装置の前方または後方に市松状に配列された透過部と非透過部からなるパララックスバリアを含み、前記画像表示装置の表示画面に表示する立体画像表示を前記表示画面のＲ画素・Ｇ画素・Ｂ画素の方向に向かって５画素から７画素および、Ｒ画素・Ｒ画素・Ｒ画素の方向に向かって２画素を右眼画像および左眼画像の構成単位として市松状に配列することを特徴とする立体画像表示装置。
【請求項２】
前記透過部の幅が前記表示画面の画素の短い長さの５〜７画素分の長さの７０％〜９５％の幅とすることを特徴とする請求項１に記載の立体画像表示装置。
【請求項３】
前記パララックスバリアは、液晶表示パネルであるか、或いはフィルム形態であることを特徴とする請求項１または２に記載の立体画像表示装置。
【発明の詳細な説明】
【技術分野】
【０００１】
この発明は、縦方向および横方向のパララックスバリアを備える立体画像表示装置に関する。
【背景技術】
【０００２】
立体画像表示装置は、２０世紀初めには、パララックスバリアとレンチキュラーレンズなどの立体画像技術を利用して発展した。近年では液晶表示装置を使った、立体液晶表示装置が開発されている（例えば、特許文献１参照）。パララックスバリアを利用する場合、元画像を左眼方向と右眼方向に光を分割するため、横方向の解像度は少なくとも１／２に低下し、表示品位が悪化してしまう。これを抑制する方法が提案されている（例えば、特許文献２参照）。また、近年は高精細、高解像度の表示装置が開発されており、高精細の表示装置とパララックスバリアなどを組み合わせることで、立体画像を表示させても解像度の低下が気にならない立体画像表示装置が開発されている。しかし高精細の立体画像を表示したとき、画素が小さい為、左右の画像分割が不十分になり、立体画像の品位が悪化する場合がある。
【０００３】
また、最近では、スマートフォン等のモバイル端末に立体画像表示装置を組み込むものがあり、使用時の端末の向きに関わらず、立体画像を楽しむ要求が出てきている。使用時の端末の向きに合わせて、パララックスバリアを縦方向と横方向に切り替える方法が発表されている（例えば、特許文献３参照）。
【先行技術文献】
【特許文献】
【０００４】
【特許文献１】特許第２８５７４２９号公報
【特許文献２】特許第３１０１５２１号公報
【特許文献３】特許第３４２６８２１号公報
【発明の概要】
【発明が解決しようとする課題】
【０００５】
しかしながら、従来の縦方向および横方向に切り替えて利用するパララックスバリアは、縦ストライプ電極と横ストライプ電極を組み合わせて配置しているため、ストライプ電極間の隙間から光が漏れ、立体画像の品位が悪化する場合がある。また、縦方向および横方向の高精細立体画像表示装置では画素の大きさに対して、パララックスバリアのストライプ電極間の隙間の大きさが１０％以上になる場合があり、立体視が困難になる場合がある。図１から図１１を参照して、従来技術の問題点を説明する。図１に示す一般的な二次元画像表示パネルは、ＲＧＢドットが１つの単位ピクセルを形成し、これらがマトリックス形状に配列されている。図２および図３は従来の縦方向および横方向に切り替えて利用するパララックスバリアのうち、縦方向および横方向に切り替えた状態のパララックスバリアを示しており、パララックスバリアの発生位置から所定距離を離して配置された図４および図５の立体画像情報を表示することで立体画像を表示する。図５から図７は図２および図４により縦方向に切り替えた状態の立体画像表示であり、図９から図１１は図３および図８により横方向に切り替えた状態の立体画像表示である。図２および図３は、単位ピクセルとおよそ同じ大きさの島状パララックスバリアがストライプ状に並んでいる。図４および図８の立体画像情報をパララックスバリアの発生位置から所定距離を離して配置したとき、島状パララックスバリア同士の隙間から光が漏れる。この光漏れはパララックスバリアに遮られず、左眼と右眼に届くため左右画像の光を混在させる。
【課題を解決するための手段】
【０００６】
本発明の縦方向および横方向液晶表示装置は、市松配列された透過部と非透過部をもつパララックスバリアをバリア発生手段によって発生させる。そして、パララックスバリアの発生位置から所定距離を離して配置された立体画像情報を表示する表示画面に、左右画像が少なくとも交互に配置された画像を表示可能な画像表示手段を備える。市松配列されたパララックスバリアの透過部の大きさを非透過部より小さくして左眼方向と右眼方向の表示画像の混在を抑制し、表示画面に表示する立体画像表示をＲＧＢ方向に５画素から7画素、およびＲＲＲ方向に２画素として左眼画像および右眼画像の構成単位とすることで、縦方向と横方向に立体画像を認識することができる。
【発明の効果】
【０００７】
縦方向および横方向に使用する立体画像表示装置のうち、左眼方向と右眼方向の表示画像の混在、つまり３Ｄクロストークを抑制し、快適な立体画像表示を実現する立体画像表示装置が提供できる。
【図面の簡単な説明】
【０００８】
【図１】一般的な二次元画像表示パネルを示した図である。
【図２】従来技術の縦方向および横方向に切り替えて利用するパララックスバリアのうち縦方向に切り替えたパララックスバリアを示した図である。
【図３】従来技術の縦方向および横方向に切り替えて利用するパララックスバリアのうち横方向に切り替えたパララックスバリアを示した図である。
【図４】従来技術の縦方向の立体画像表示を示した図である。
【図５】図２及び図４の縦方向に切り替えたパララックスバリアと縦方向の立体画像表示により形成された正面画像を示した図である。
【図６】図２及び図４の縦方向に切り替えたパララックスバリアと縦方向の立体画像表示により形成された右眼用画像を示した図である。
【図７】図２及び図４の縦方向に切り替えたパララックスバリアと縦方向の立体画像表示により形成された左眼用画像を示した図である。
【図８】従来技術の横方向の立体画像表示を示した図である。
【図９】図３及び図８の横方向に切り替えたパララックスバリアと横方向の立体画像表示により形成された正面画像を示した図である。
【図１０】図３及び図８の横方向に切り替えたパララックスバリアと横方向の立体画像表示により形成された右眼用画像を示した図である。
【図１１】図３及び図８の横方向に切り替えたパララックスバリアと横方向の立体画像表示により形成された左眼用画像を示した図である。
【図１２】本発明の立体画像表示装置の縦方向の立体画像表示を示した図である。
【図１３】本発明の立体画像表示装置の市松配列された透過部と非透過部をもつパララックスバリアを示した図である。
【図１４】図１２及び図１３の縦方向の立体画像表示と市松配列された透過部と非透過部をもつパララックスバリアにより形成された正面画像を示した図である。
【図１５】図１２及び図１３の縦方向の立体画像表示と市松配列された透過部と非透過部をもつパララックスバリアにより形成された右眼画像を示した図である。
【図１６】図１２及び図１３の縦方向の立体画像表示と市松配列された透過部と非透過部をもつパララックスバリアにより形成された左眼画像を示した図である。
【図１７】本発明の第２の実施形態による横方向の立体画像表示を示した図である。
【図１８】図１７及び図１３の横方向の立体画像表示と市松配列された透過部と非透過部をもつパララックスバリアにより形成された正面画像を示した図である。
【図１９】図１７及び図１３の横方向の立体画像表示と市松配列された透過部と非透過部をもつパララックスバリアにより形成された右眼画像を示した図である。
【図２０】図１７及び図１３の横方向の立体画像表示と市松配列された透過部と非透過部をもつパララックスバリアにより形成された左眼画像を示した図である。
【発明を実施するための形態】
【０００９】
以下に本発明の縦方向および横方向立体画像表示装置について、実施例を用いて詳細に説明する。
【実施例１】
【００１０】
図１２〜図１６は本発明の第１の実施例を示しており、図１２は縦方向の立体画像表示、図１３は市松配列された透過部と非透過部をもつパララックスバリア、図１４は図１３のパララックスバリアの発生位置から所定距離を離して配置された図１２の立体画像情報を正面から見たときの画像である。図１５は図１４を右眼の位置から見たときの画像、図１６は図１４を左眼の位置から見たときの画像である。
【００１１】
本発明の縦方向の立体画像表示は、図１２に示す通り、Ｒ・Ｇ・Ｂの縦方向に向かって５画素、Ｒ・Ｒ・Ｒの横方向に向かって２画素を１構成単位として、右眼画像と左眼画像を市松状態に配列している。図１２の右眼画像と左眼画像の市松配置と同等な配列で透過部と非透過部を持ち、透過部の縦幅および横幅が非透過部に比べて７０％〜９５％の大きさになっている。この大きさにすることで右眼および左眼の画像が混在されにくくなり、快適な立体画像を表示することができる。Ｒ・Ｇ・Ｂ方向の画素数は６画素や７画素を構成単位としても良い。
【実施例２】
【００１２】
図１７〜図２０および図１３は本発明の第２の実施例を示しており、図１７は横方向の立体画像表示、図１３は市松配列された透過部と非透過部をもつパララックスバリア、図１８は図１３のパララックスバリアの発生位置から所定距離を離して配置された図１７の立体画像情報を正面から見たときの画像である。図１９は図１８を右眼の位置から見たときの画像、図２０は図１８を左眼の位置から見たときの画像である。
【００１３】
本発明の横方向の立体画像表示は、図１７に示す通り、Ｒ・Ｇ・Ｂの縦方向に向かって５画素、Ｒ・Ｒ・Ｒの横方向に向かって２画素を１構成単位として、右眼画像と左眼画像を市松状態に配列している。図１２の右眼画像と左眼画像の市松配置と同等な配列で透過部と非透過部を持ち、透過部の縦幅および横幅が非透過部に比べて７０％〜９５％の大きさになっている。この大きさにすることで右眼および左眼の画像が混在されにくくなり、快適な立体画像を表示することができる。Ｒ・Ｇ・Ｂ方向の画素数は６画素や７画素を構成単位としても良い。
【符号の説明】
【００１４】
１  Ｒ画素
２  Ｇ画素
３  Ｂ画素
４  島状のパララックスバリア
５  右眼用のＲ画素
６  右眼用のＧ画素
７  右眼用のＢ画素
８  左眼用のＲ画素
９  左眼用のＧ画素
１０  左眼用のＢ画素
１１  使用者が見る向き
１２  市松配列された透過部
１３  市松配列された非透過部
【図１】
2012073387.tif 000003
【図２】
2012073387.tif 000004
【図３】
2012073387.tif 000005
【図４】
2012073387.tif 000006
【図５】
2012073387.tif 000007
【図６】
2012073387.tif 000008
【図７】
2012073387.tif 000009
【図８】
2012073387.tif 000010
【図９】
2012073387.tif 000011
【図１０】
2012073387.tif 000012
【図１１】
2012073387.tif 000013
【図１２】
2012073387.tif 000014
【図１３】
2012073387.tif 000015
【図１４】
2012073387.tif 000016
【図１５】
2012073387.tif 000017
【図１６】
2012073387.tif 000018
【図１７】
2012073387.tif 000019
【図１８】
2012073387.tif 000020
【図１９】
2012073387.tif 000021
【図２０】
2012073387.tif 000022